(57)【要約】【課題】複数の配管に対して壁に開ける貫通孔が一箇所でよく、しかも、配管の屈曲程度を少なくして配管に対する負荷を軽減することができ、さらに配管施工をスムーズにできる配管保持具の提供を目的とする。【解決手段】壁の貫通孔の外周に固定される横長な外周フランジ部１１と、外周フランジ部１１で包囲される部分に形成された空間部２１と、記空間部の底面２５に外周フランジ部の側へ向かって上向きに傾斜した状態で複数立設された配管保持筒部４１とより配管保持具本体１０を構成し、外周フランジ部１１における壁との当接面に配管保持具本体用止水材５１を設け、配管保持筒部４１の内周に配管用止水材５５を設けた。【選択図】図１
2012021576.tif 000002
【特許請求の範囲】
【請求項１】
建築物の壁に形成された貫通孔に取り付けられる配管保持具であって、
配管保持具本体と配管保持具本体用止水材と配管用止水材とよりなり、
前記配管保持具本体は、
前記壁の貫通孔の外周に固定される外周フランジ部と、
前記外周フランジ部で包囲される部分が前記配管保持具本体の前面側又は背面側へ屈曲して外周フランジ部の側で開口してなる空間部と、
前記空間部を形成している面に立設されて内側が前記空間部を形成している面を貫通した配管挿通孔となっている配管保持筒部とを有し、
前記配管保持筒部は複数個形成され、
前記配管保持具本体用止水材は、弾性材からなって前記外周フランジ部の壁との当接面に設けられ、前記外周フランジ部を前記壁の貫通孔外周に固定した際に前記外周フランジ部と前記壁との間をシールし、
前記配管用止水材は、弾性材からなって前記配管保持筒部の内周に設けられ、前記配管保持筒部に挿通した配管と前記配管保持筒部の内面との間をシールすることを特徴とする配管保持具。
【請求項２】
前記外周フランジ部の内周から前記配管保持具本体の前面側又は背面側へ屈曲して前記空間部を形成している一の面が、前記外周フランジ部の側から前記空間部の奥に向かって傾斜し、前記傾斜した面に前記配管保持筒部が立設されていることを特徴とする請求項１に記載の配管保持具。
【請求項３】
前記配管保持筒部は、前記外周フランジ部の側から前記空間部の奥に向かって上向きあるいは下向きに傾斜した状態で前記空間部を形成している面に横方向に並んで立設されていることを特徴とする請求項１又は２に記載の配管保持具。
【発明の詳細な説明】
【技術分野】
【０００１】
本発明は、壁を貫通する配管を保持するために壁の貫通孔に取り付けられる配管保持具に関する。
【背景技術】
【０００２】
従来、住宅等の建造物の壁に形成された円形の貫通孔を通して配管を行う場合、配管１本当たり１個の配管保持具を用いて施工を行っている。例えば、ガス給湯器の場合、ガス給湯器１台当たり、給水管、給湯管、追い炊き往き管、追い炊き戻り管、ガス管からなる最大５本の配管を壁に通す必要があり、施工時には配管の数に応じた複数の貫通孔を壁に開けて配管及びその配管保持具の施工を行っている（特許文献１〜３）。
【０００３】
しかし、従来の配管保持具においては、施工時に複数の貫通孔を壁に開ける必要があるため、（１）外壁の強度が低下したり、孔開け時に壁が割れたりする問題、（２）施工に手間取る問題、（３）施工状態にバラツキを生じやすい問題、（４）壁に複数の貫通孔を開けるスペースがない場合がある、等の問題があった。
【０００４】
また、円板状のフランジ部材内に設けた筒状のリード管に、配水管保護用のソケットと電線保護管用のソケットからなる複数のソケットを設けた壁貫通配管具が提案されている（特許文献４）。
【０００５】
しかし、複数のソケットを筒状のリード管に設けた壁貫通配管具にあっては、筒状のリード管内の狭い空間に同心円上に配置したソケットに配管等を通さなければならないため、作業が容易とは言い難く、しかもソケットが壁面に対して垂直になっているため、ソケットに通した配管等を壁に沿って略直角に屈曲させねばならないため、配管が破損しやすい問題がある。さらに筒状のリード管とソケットの間をシールし難く、雨水等が侵入するおそれもある。
【先行技術文献】
【特許文献】
【０００６】
【特許文献１】特開平５−７１６７２号公報
【特許文献２】特開２００１−３２４０６１号公報
【特許文献３】特開昭６３−２５１６８４号公報
【特許文献４】特開２００２−３７２１７３号公報
【発明の概要】
【発明が解決しようとする課題】
【０００７】
本発明は前記の点に鑑みなされたものであって、複数の配管の施工に対して壁に開ける貫通孔が一箇所でよく、しかも、配管の屈曲程度を少なくして配管に対する負荷を軽減することができ、さらに配管の施工をスムーズにできる配管保持具の提供を目的とする。
【課題を解決するための手段】
【０００８】
請求項１の発明は、建築物の壁に形成された貫通孔に取り付けられる配管保持具であって、配管保持具本体と配管保持具本体用止水材と配管用止水材とよりなり、前記配管保持具本体は、前記壁の貫通孔の外周に固定される外周フランジ部と、前記外周フランジ部で包囲される部分が前記配管保持具本体の前面側又は背面側へ屈曲して外周フランジ部の側で開口してなる空間部と、前記空間部を形成している面に立設されて内側が前記空間部を形成している面を貫通した配管挿通孔となっている配管保持筒部とを有し、前記配管保持筒部は複数個形成され、前記配管保持具本体用止水材は、弾性材からなって前記外周フランジ部の壁との当接面に設けられ、前記外周フランジ部を前記壁の貫通孔外周に固定した際に前記外周フランジ部と前記壁との間をシールし、前記配管用止水材は、弾性材からなって前記配管保持筒部の内周に設けられ、前記配管保持筒部に挿通した配管と前記配管保持筒部の内面との間をシールすることを特徴とする。
【０００９】
請求項２の発明は、請求項１において、前記外周フランジ部の内周から前記配管保持具本体の前面側又は背面側へ屈曲して前記空間部を形成している一の面が、前記外周フランジ部の側から前記空間部の奥に向かって傾斜し、前記傾斜した面に前記配管保持筒部が立設されていることを特徴とする。
【００１０】
請求項３の発明は、請求項１又は２において、前記配管保持筒部は、前記外周フランジ部の側から前記空間部の奥に向かって上向きあるいは下向きに傾斜した状態で前記空間部を形成している面に横方向に並んで立設されていることを特徴とする。
【発明の効果】
【００１１】
請求項１の発明によれば、外周フランジ部で包囲された部分に形成されている空間部を構成する面に配管保持筒部が複数個設けられているため、壁の一箇所に開けた貫通孔に配管保持具を取り付けて配管保持具の複数の配管保持筒部に配管を通すことにより、複数の配管の施工をすることができ、複数の配管の施工に際して壁に開ける貫通孔が一箇所で済み、複数の貫通孔を壁に開ける場合の従来の問題を解決することができる。
【００１２】
また、請求項１の発明によれば、外周フランジ部における壁との当接面に設けられた配管保持具本体用止水材によって、外周フランジ部と壁間をシールすることができ、壁の貫通孔から雨水等が壁内に侵入することを防ぐことができる。また、本発明の配管保持具は、配管保持筒部の内周に設けた配管用止水材によって、配管保持筒部の内面と配管との間をシールすることができ、配管保持筒部の内面と配管との間から雨水等が壁内に侵入することを防ぐことができる。さらに、プレハブ工法の建物にあっては、壁となるパネルにあらかじめ本発明の配管保持具を備えつけておき、建物の施工時にはパネルを組付けるだけですみ、現場での施工工数を低減することもできる。
【００１３】
請求項２の発明によれば、外周フランジ部の側から前記空間部の奥に向かって傾斜した面に配管保持筒部が立設されているため、配管保持筒部に挿通保持された配管が、壁に対して傾斜した状態となり、配管を壁に垂直に挿通した場合と比べて、配管を壁面に沿わせる際に配管の屈曲程度を少なくでき、管の取り回しが容易で、配管への負荷を軽減することができる。すなわち、配管保持具の上方に通常位置する給湯器等への接続が容易になる。
【００１４】
請求項３の発明によれば、外周フランジ部の側から前記空間部の奥に向かって上向きあるいは下向きに傾斜した状態で空間部を形成している面に配管保持筒部が立設されているため、配管保持筒部に挿通保持された配管が、壁に対して傾斜した状態となり、配管を壁に垂直に挿通した場合と比べて、配管を壁面に沿わせる際に配管の屈曲程度を少なくでき、管の取り回しが容易で、配管への負荷を軽減することができる。すなわち、配管保持具の上方に通常位置する給湯器等への接続が容易になる。さらに、配管保持筒部が横方向に並んで空間部を形成している面に立設されているため、壁に対して平行方向（横方向）に並ぶことになり、複数の配管保持筒部が壁に対して奥行き方向に並ぶ場合と比べて複数の配管保持筒部に配管を通す作業がし易くなり、施工をスムーズに行うことができる。
【図面の簡単な説明】
【００１５】
【図１】本発明の一実施形態に係る配管保持具を壁に取り付けて配管を保持した状態の断面図である。
【図２】本発明の一実施形態に係る配管保持具の分解斜視図である。
【図３】本発明の一実施形態に係る配管保持具における配管保持具本体の斜視図である。
【図４】図３の４−４断面図である。
【図５】本発明の一実施形態に係る配管保持具における配管保持具本体を壁に取り付けた状態の断面図である。
【図６】本発明の他の実施形態に係る配管保持具を壁に取り付けて配管を保持した状態の断面図である。
【図７】図６に示した配管保持具における配管保持具本体の斜視図である。
【図８】図７の８−８断面図である。
【発明を実施するための形態】
【００１６】
図１及び図２に示す本発明の一実施形態に係る配管保持具１は、建築物の壁６１に形成された横長な貫通孔６３に取り付けられて、壁６１を貫通する複数の配管Ｐを保持するものであり、配管保持具本体１０と配管保持具本体用止水材５１と配管用止水材５５とよりなる。
【００１７】
配管保持具本体１０は、図３及び図４に示すように外周フランジ部１１と、空間部２１と、配管保持筒部４１とを有し、金属又は樹脂で形成されている。前記配管保持具本体１０は、建築物の壁６１に形成された横長な貫通孔６３に取り付けられる。図示の貫通孔６３は横長な長方形で形成されている。なお、前記配管保持具本体１０は、強度及び耐候性の点からは金属製が好ましい。
【００１８】
外周フランジ部１１は、前記壁６１の貫通孔６３より大きな外形からなって、前記貫通孔６３の外周の壁面に固定される。図示の例では、外周フランジ部１１の内周１２は、前記壁６１の貫通孔６３の形状及び大きさと略等しくされている。前記外周フランジ部１１の内周１２と外周１３間の寸法は、前記外周フランジ部１１を前記貫通孔６３の外周の壁面に固定できる寸法であればよい。図示の外周フランジ部１１は、前記壁６１の貫通孔６３に合わせた横長な長方形の枠状からなり、外周フランジ部１１の四隅及び中間部には壁６１に対する固定用孔１４が形成されている。前記固定用孔１４には図１及び図５に示すように固定用のネジやビスなどのネジ類５７が挿入される。前記外周フランジ部１１の一例として、外周フランジ部１１の外周１３における横方向Ｗの寸法が２４０ｍｍ、縦方向（高さ方向、垂直方向）Ｔの寸法が１２５ｍｍ、内周１２における横方向Ｗの寸法が２１０ｍｍ、縦方向Ｔの寸法が８５ｍｍの例を挙げる。
【００１９】
空間部２１は、前記外周フランジ部１１で包囲される部分に形成されている。具体的には前記外周フランジ部１１で包囲される部分が、当該外周フランジ部１１の内周１２から配管保持具本体１０の背面側Ｂへ屈曲して外周フランジ部の側Ｆで開口した空間で構成されている。なお、前記配管保持具本体１０の背面側Ｂは、前記配管保持具本体１０が取り付けられる壁６１の内方側（建物の内方側）に相当する。前記空間部２１は、上面２３、底面２５、側面２７、２９からなる一連の面で配管保持具本体１０の背面側Ｂが包囲され、前記背面側Ｂとは反対の外周フランジ部側Ｆが開口している。また、この実施形態では、前記外周フランジ部の側Ｆは、前記配管保持具本体１０の背面側Ｂとは反対の前面側と称することもできる。
【００２０】
前記空間部２１の上面２３は、前記外周フランジ部１１の上側内周１２ａから屈曲して延設された部分であり、それに対して前記底面２５は、前記外周フランジ部１１の下側内周１２ｂから屈曲して延設された部分である。前記上面２３と底面２５は配管保持具本体の背面側Ｂの端部で略くの字状に屈曲して一連となっており、前記底面２５が前記外周フランジ部の側Ｆから前記配管保持具本体の背面側Ｂへ向けて上向きに傾斜している。図示の例では前記上面２３と底面２５は、前記外周フランジ部１１の上側内周１２ａと下側内周１２ｂを結ぶ垂直線との角度θ１、θ２が４５°に設定されている。
【００２１】
前記空間部２１の底面２５の少なくとも片面に配管保持筒部４１が、前記底面２５の横方向Ｗに並んで複数個（図示の例では５個）立設されている。なお、図示の例では、前記配管保持筒部４１は、前記空間部２１の底面２５の内面（図１に示す２５ａ）に立設されている。前記配管保持筒部４１は、内側が前記空間部２１の底面２５を貫通した配管挿通孔４３となっている。前記配管保持筒部４１は、図１に示すように配管Ｐが挿通されて配管Ｐを保持する部分であり、配管Ｐの外径よりも所定量大径となっている。前記配管保持筒部４１は、前記配管保持具本体の背面側Ｂから前記外周フランジ部の側Ｆへ向かって上向きに傾斜した状態で前記空間部２１の底面２５に立設され、前記配管保持筒部４１に挿通された配管を壁部６１に対して傾斜した状態に保持するようになっている。図示の例では、前記空間部２１において、前記底面２５が外周フランジ部の側Ｆから配管保持具本体の背面側Ｂ（空間部２１の奥）へ向けて上向きに傾斜し、該傾斜している前記底面２５に対して垂直に前記配管保持筒部４１が立設され、これによって前記配管保持筒部４１が前記配管保持具本体の背面側Ｂから外周フランジ部側Ｆへ向けて上向きに傾斜している。なお、前記配管保持具本体１０は、金属製の場合、一枚の金属板をプレス等によって屈曲加工して前記外周フランジ部１１と空間部２１と配管保持筒部４１を一体に形成することができる。一方、前記配管保持具本体１０を樹脂製とする場合、射出成形等によって前記外周フランジ部１１と空間部２１と配管保持筒部４１を一体に形成することができる。
【００２２】
配管保持具本体用止水材５１は、ゴムスポンジ等の弾性材からなり、前記外周フランジ部１１における壁との当接面に設けられて、図５に示すように、前記外周フランジ部１１を前記壁６１の貫通孔６３の外周に固定した際に圧縮され、前記外周フランジ部１１と前記壁６１との間をシールして雨水等が貫通孔６３を通って壁６１の内側に侵入するのを防止する。前記配管保持具本体用止水材５１は、図示の例では、前記外周フランジ部１１とほぼ等しい枠形状をした所定厚み（例えば３０ｍｍ）のものからなる。
【００２３】
配管用止水材５５は、ゴムスポンジ等の弾性材からなり、前記配管保持筒部４１の内周に設けられ、前記配管保持筒部４１に挿通された配管Ｐと前記配管保持筒部４１の内面との間をシールし、雨水等が前記配管保持筒部４１の内面と配管Ｐとの間を通って壁６１の内側に侵入するのを防止する。前記配管用止水材５５は、図示の例では、角棒状からなり、前記配管保持筒部４１に配管Ｐを挿通した後に、前記配管保持筒部４１と配管Ｐとの間に詰め込むようになっている。なお、前記配管用止水材５５は環状に形成して前記配管保持筒部４１の内面に接着してもよい。
【００２４】
前記配管保持具１を用いる施工は、次のようにして行われる。図２に示すように、まず、建築物の壁６１に前記空間部２１が嵌ることができ、かつ前記外周フランジ部１１の外周１３よりも小さい大きさの横長な四角形の貫通孔６３を形成する。次に、前記配管保持具本体１０の外周フランジ部１１における壁６１との当接面に前記配管保持具本体用止水材５１を装着した状態で、図５に示すように、前記空間部２１の外面側（配管保持具本体の背面側Ｂ）を前記壁６１の貫通孔６３に挿入し、前記外周フランジ部１１を前記壁６１における貫通孔６３の外周の壁面にネジ類５７で固定する。その際、前記外周フランジ部１１と貫通孔６３の外周の壁６１との間で配管保持具本体用止水材５１を圧縮してシールする。その後、前記空間部２１の底面２５に形成されている複数の配管保持筒部４１に樹脂製の配管Ｐをそれぞれ挿通する。そして、前記配管用止水材５５を、前記配管保持筒部４１の内面と配管Ｐとの間に詰め込んで、前記配管保持筒部４１の内面と配管Ｐとの間をシールする。その後、前記配管保持筒部４１の外方部分で配管Ｐを壁６１に沿うように屈曲させて配設する。前記配管Ｐを壁に沿わせるための屈曲時、前記配管Ｐが配管保持筒部４１によって壁６１に対して傾斜した状態となっているため、前記配管Ｐに加わる負荷が少なくなり、破損等を防ぐことができる。また、複数の配管保持筒部４１が壁に対して平行方向（横方向）に並ぶことになるため、複数の配管保持筒部４１が壁に対して奥行き方向に並ぶ場合と比べて複数の配管保持筒部に配管を通す作業がし易くなり、施工をスムーズに行うことができるようになる。なお、前記複数の配管保持筒部４１のうち、配管を挿通しないものについては、前記角棒状の配管用止水材５５を詰めて封止し、雨水等が侵入しないようにする。
【００２５】
図６に示す配管保持具１Ａは、本発明の他の実施形態に係るものであり、図７及び図８に示すように配管保持具本体１０Ａにおける外周フランジ部１１Ａで包囲される部分が、配管保持具本体１０Ａの前面側Ａへ屈曲して外周フランジ部の側Ｆで開口して空間部２１Ａとされ、外周フランジ部の側Ｆにおける外周フランジ部の上側内周１２１Ａから空間部２１Ａの奥（前記前面側Ａ）へ向かって下向きに傾斜している上面２３Ａに配管保持筒部４１Ａが複数立設されている点で前記図１〜図５の実施例と異なる。また、前記配管保持具１Ａは、前記空間部２１Ａの奥側（配管保持具本体の前面側Ａ）を壁６１の外面側へ向けて取り付けられ、それにより前記空間部２１Ａが壁６１の外面に突出し、一方、前記配管保持筒部４１Ａが空間部２１Ａの上面２３Ａから壁６１の貫通孔６３へ向けて突出した状態となる。なお、前記前面側Ａは、前記配管保持具１Ａが壁６１に取り付けられた際に壁６１の外方を向く側である。なお、この実施形態において配管保持具本体１０Ａの背面側は壁６１の内方を向く側であり、前記前面側Ａとは反対側である外周フランジ部の側Ｆと等しくなる。その他の構成は図１〜図５の実施例と同様である。
【００２６】
図６〜図８において、符号１Ａは配管保持具、１０Ａは配管保持具本体、１１Ａは外周フランジ部、１２Ａは外周フランジ部の内周、１２１Ａは外周フランジ部の上側内周、１２１Ｂは外周フランジ部の下側内周、１３Ａは外周フランジ部の外周、１４Ａは固定用孔、２１Ａは空間部、２３Ａは空間部の上面、２５Ａは空間部の底面、２７Ａ、２９Ａは空間部の側面、４１Ａは配管保持筒部、４３Ａは配管挿通孔、５１Ａは配管保持具本体用止水材、５５Ａは配管用止水材である。その他、図１〜図５と同じ符号のものは同一の部分あるいは部材を示す。
【００２７】
このように、本発明によれば、壁の一箇所に開けた貫通孔に配管保持具を取り付けて複数の配管の施工をすることができるため、複数の配管の施工に際して壁に開ける貫通孔が一箇所でよくなり、複数の貫通孔を開ける場合と比べて作業が簡単になり、複数の孔開けと比べて孔開け時に壁が割れたりするおそれが少なくなる。さらに、配管保持筒部を傾斜させて設けることにより、配管保持筒部に挿通保持された配管は、壁に対して傾斜した状態となり、配管が壁に垂直に挿通された場合と比べて、配管を壁面に沿わせる際に配管の屈曲程度を少なくでき、配管への負荷を軽減することができる。また、複数の配管保持筒部を、空間部を形成している面に横方向に並んで立設することにより、複数の配管保持筒部が壁に対して平行方向（横方向）に並ぶことになるため、複数の配管保持筒部に配管を通す作業がし易くなり、施工をスムーズに行うことができるようになる。また、配管保持具本体用止水材によって外周フランジ部と壁の間をシールすることができるため、壁の貫通孔から雨水等が壁内に侵入することを防ぐことができ、さらに、配管用止水材によって、配管保持筒部の内面と配管との間をシールすることができるため、配管保持筒部の内面と配管との間から雨水等が壁内に侵入することを防ぐことができる。
【符号の説明】
【００２８】
１、１Ａ  配管保持具
１０、１０Ａ  配管保持具本体
１１、１１Ａ外周フランジ部
２１、２１Ａ  空間部
２３、２３Ａ  空間部の上面
２５、２５Ａ  空間部の底面
４１、４１Ａ  配管保持筒部
４３、４３Ａ  配管挿通孔
５１、５１Ａ  配管保持具本体用止水材
５５、５５Ａ  配管用止水材
６１  壁
６３  貫通孔
【図１】
2012021576.tif 000003
【図２】
2012021576.tif 000004
【図３】
2012021576.tif 000005
【図４】
2012021576.tif 000006
【図５】
2012021576.tif 000007
【図６】
2012021576.tif 000008
【図７】
2012021576.tif 000009
【図８】
2012021576.tif 000010